(57)【特許請求の範囲】
【請求項１】
基板上に、該基板側から順に、該基板の全面に設けた光吸収層と１枚のカーボン繊維織物を透明な樹脂で固めた模様層と光透過層とを積層して形成した模様表示層を設け、該模様表示層の上に更に金属光沢のある指標を固着していることを特徴とする表示板。
【請求項２】
基板上に、該基板側から順に、該基板の全面に設けた光吸収層とカラー蒸着膜を施した１枚のカーボン繊維織物を透明な樹脂で固めた模様層と光透過層とを積層して形成した模様表示層を設け、該模様表示層の上に更に金属光沢のある指標を固着していることを特徴とする表示板。
【請求項３】
前記光吸収層は黒色を呈する塗装膜または黒色を呈するメッキ膜であることを特徴とする請求項１または２記載の表示板。
【請求項４】
前記光透過層は平滑面を有する透過性樹脂塗装膜であることを特徴とする請求項１または２記載の表示板。
【請求項５】
前記光透過層は平滑面を有する透過性ガラス板であることを特徴とする請求項１または２記載の表示板。
【請求項６】
前記１枚のカーボン繊維織物は、平織り、綾織り、朱子織り等の少なくとも１種類の織目模様を有することを特徴とする請求項１または２記載の表示板。
【発明の詳細な説明】
【０００１】
【発明の属する技術分野】
時計用表示板や各種の機器装置に貼付て使用される銘板等の表示板に関する。
【０００２】
【従来の技術】
従来、時計用表示板や各種の機器装置に貼付て使用される各種銘板等の表示板において、表示模様に工夫を凝らして表示模様の高級感出現や表示バリエーションを増やすことが試みられている。その一つとして、特開平９−９００５８号公報に開示された技術がある。
【０００３】
この技術は、図６に示すように、文字板基板１に壁装材２ａを接着し、壁装材２ａの上にクリヤー塗膜３を形成したものである。そして、安いコストで模様形成でき、立体感のある模様形成の効果を得たものである。
【０００４】
【発明が解決しようとする課題】
しかしながら、上記従来技術の表示板は、一度形成した表示模様に変化性がなく最初のうちは興味を感じても長期間の使用のうちに飽きてくると云う問題が生じる。また、模様として壁装材の模様を利用しているので較的軟質であり、表示板に傷などが付くと模様にも傷が付き、模様そのものの形状の美しさが損なわれると云う問題も生じる。
本発明の目的は、上記課題を解決し、キズが付きにくく、立体感と高級感とを有し、模様のバリエーションの拡大ができる表示板を提供することにある。
【０００５】
【課題を解決するための手段】
本発明は上記課題に鑑みて成されたもので、請求項１に係る発明の表示板は、基板上に、該基板側から順に、該基板の全面に設けた光吸収層と１枚のカーボン繊維織物を透明な樹脂で固めた模様層と光透過層とを積層して形成した模様表示層を設け、該模様表示層の上に更に金属光沢のある指標を固着していることを特徴とする。
【０００６】
また、請求項２に係る発明の表示板は、基板上に、該基板側から順に、該基板の全面に設けた光吸収層とカラー蒸着膜を施した１枚のカーボン繊維織物を透明な樹脂で固めた模様層と光透過層とを積層して形成した模様表示層を設け、該模様表示層の上に更に金属光沢のある指標を固着していることを特徴とする。
【０００７】
また、請求項３に係る発明の表示板は、前記光吸収層が黒色を呈する塗装膜または黒色を呈するメッキ膜であることを特徴とする。
【０００８】
また、請求項４に係る発明の表示板は、前記光透過層が平滑面を有する透過性樹脂塗装膜であることを特徴とする。
【０００９】
また、請求項５に係る発明の表示板は、前記光透過層が平滑面を有する透過性ガラス板であることを特徴とする。
【００１０】
また、請求項６に係る発明の表示板は、前記１枚のカーボン繊維織物は、平織り、綾織り、朱子織り等の少なくとも１種類の織目模様を有することを特徴とする。
【００１１】
【発明の実施の形態】
本発明の実施の形態として、以下時計用表示板の実施例をあげて説明する。図１〜３に示すものは本発明の第１実施例に係る時計用表示板を示すもので、図１はその断面図を示す。本実施例の時計用表示板１０は、基板１１と、この基板１１上に、下から順に、光吸収層１２とカーボン繊維織物模様層１３と光透過層１４とを積層して形成した模様表示層１５と、この模様表示層１５上に設けた時字を示す指標１６から構成される。
【００１２】
ここで、上記基板１１は金属やプラスチック等で出来た平板の基板である。
【００１３】
また、上記模様表示層１５を構成する光吸収層１２は黒色を呈する塗装膜や黒色を呈するメッキ膜等であるが、この光吸収層１２はカーボン繊維織物模様層からの透過光を吸収すると共に基板１１からの光反射を防止するものである。特に塗装膜やメッキ膜に限定するものではなく、カーボン繊維織物模様層１３の透過光を吸収し、基板１１からの反射光をなくする膜であれば良いものである。本実施例では黒塗料を印刷して形成した塗装膜を使用している。
【００１４】
また、上記模様表示層１５を構成するカーボン繊維織物模様層１３は、カーボン（炭素）から出来た微細な丸い繊維を非常に数多く集束して平織り、綾織り、朱子織り等の模様に編んだ織物を透明な樹脂で固めた層である。図２及び図３は本実施例における平織り模様に編んだ上記カーボン繊維織物模様層１３の要部拡大平面図と要部拡大断面図を示すものである。このカーボン繊維織物模様層１３は、微細な丸い繊維を１０００本近く集束した縦糸束１３ａと横糸束１３ｂで十字形の平織りに編んで平織り織目１３ｃを形成し、それを透明な樹脂１３ｅで上下から固めたものである。
【００１５】
このカーボン繊維は、比重が鉄金属の約半分位で比較的軽く、しかも、引張強度や引張弾性率が高く繊維としては非常に強度的に強く、傷等が付き難いものである。また、熱膨張係数も小さく高温、低温に対しても収縮が小さく寸法安定性に優れている。また、化学的安定性に優れており、酸や塩基や各種溶媒に侵され難い性質を有しているものである。従って、このカーボン繊維で編んだ織物は強度的に強く折れ難く損傷には強いものである。
【００１６】
また、上記模様表示層１５を構成する光透過層１４は、透過性のある樹脂塗装膜や透過性のガラス板が選択される。そして、その表面は平滑面を有している。透過性の樹脂塗装膜を設ける場合は、カーボン繊維織物模様層１３上に光透過性の樹脂を印刷または吹付け塗布等によって形成し、その表面を研磨することによって形成される。そして、この光透過性の樹脂は透明な樹脂或いは少しカラー着色された樹脂が選ばれる。
【００１７】
また、透過性のガラス板を設ける場合は、接着剤を介してカーボン繊維織物模様層１３上に接着固定して形成する。このガラス板は表面平滑で透明なもの、または金属蒸着薄膜を施してうっすら色が付いたものが選ばれる。
【００１８】
上記指標１６は、金属で立体的に成形して得られた金属光沢のある指標１６を接着剤を介して模様層１５の上に接着固定したものである。特に金属指標に限定するものだはなく、塗料の印刷で形成した指標であっても良いものである。尚、模様層１５とのバランスから見ると金属光沢感が出て立体感のある金属指標の方が高級感が現れるので好ましいものではある。
【００１９】
上記構成の時計用表示板１０は、上方から見ると、縦糸束１３の部分と横糸束１３ｂの部分とは同じ黒色気味の色調でも光の反射方向が異なるために濃い黒色と淡い黒色との異なった色調が現れる。また、表示板１０を少しづつ傾けて角度を変えて見ると、光の反射方向が変わって色調の濃淡部分が少しづつ移り変わって、現れる模様も少しづつ変化して見える。このように、カーボン繊維織物模様層の織目模様が見る角度によって微妙に変化する。
【００２０】
これは、カーボン繊維が丸いことにより表示板を動かすと反射方向が変わること、カーボン繊維織物模様層の下面側に光吸収層があるために下側からの散乱反射光がないこと、また、カーボン繊維織物模様層の上側に平滑面の光透過層があるために外部に放射される光が一様な方向に屈折すること、等の作用による。
【００２１】
また、上記構成の時計用表示板１０は、その織目模様に立体感が現れる。これは、模様の微小な凹凸部分に反射光の強弱が現れ、それが色調の濃淡となって現れ、その濃淡さが立体感を感じさせる作用をなす。また、下面側に光吸収層があることによって下側からの散乱反射光がなくなり、それが濃淡さに影響を及ぼさない作用も一助になっている。
【００２２】
また、上記構成の時計用表示板１０は、その織目模様に奥深さを感じさせる。これは、カーボン繊維織物模様層の上面側に平滑な光透過層があるためで、平滑面のため織目模様からの反射光が光透過層を透過して外部に放射するとき一様な方向に屈折する。このことが深く沈んだ所に織目模様があるように視認させる作用をなす。織目模様に奥深さを感じるとその表示板に高級感が現れてくるものである。
【００２３】
以上述べたように、本発明の時計用表示板１０は、カーボン繊維織物の織目模様に奥深さと立体感が現れて見え、そして、見る角度によってその織目模様が変化して視認されるので高級感を植え付けると同時にいつまでも飽きを感じさせることがなく興味を覚えさせる。
【００２４】
また、この表示板１０全体を少しカラーの色調を持たせたい場合は光透過層１４を薄くカラー着色することによってカラーの表示板が得られる。
【００２５】
また、この表示板１０の内周部を平織り織目模様で、外周部を綾織り織目模様等でと２組の模様を組み合わせることによって組み合わせ模様が出来、模様形成に幅が広がり、模様バリエーションに富んだ時計用表示板が得られる。
【００２６】
また、このカーボン繊維織物はなかなか傷が付き難く、また、化学的特性にも優れているために模様の形状が損なわれることなく、いつまでも美しい織目模様が維持できる。
【００２７】
次に、図４〜５に示すものは本発明の第２実施例に係る時計用表示板のもので、図４はその断面図を示すものである。尚、図１に示す第１実施例の時計用表示板１０と同一構成の部品は同符号を付してある。本実施例の時計用表示板２０は、基板１１と、基板１１上に、光吸収層１２とカラー蒸着膜を施したカーボン繊維織物模様層２３と光透過層１４とを積層して形成した模様表示層２５と、この模様表示層２５上に設けた時字を示す指標１６から構成される。
【００２８】
ここで、基板１１、光吸収層１２、光透過層１４、指標１６は第１実施例の時計用表示板１０で説明した構成と同じ構成であるのでその説明は省略する。
【００２９】
上記模様表示層２５を構成するカーボン繊維織物模様層２３は図５に示す構造を取る。図５はカーボン繊維織物模様層２３の要部拡大断面図を示すものである。このカーボン繊維織物模様層２３は、カーボン繊維での縦糸束１３ａと横糸束１３ｂで編んだ平織り織目１３ｃの上下面にカラー蒸着膜１３ｄを施し、透明な樹脂１３ｅで固めたものである。
【００３０】
カーボン繊維は黒色の色調を呈するためその織目も黒色の色調を呈する。この織目の上下面にカラー蒸着を施すとそのカラー色が現れ、そのカラー色の織目模様が得られる。このように各種カラーのカラー蒸着を施すことによって自由にカラー色の織目模様を得ることができ、カラーバリエーションを豊富にすることができる。
【００３１】
また、２種類以上の織目模様を組み合わせて、その模様色も異なる色調に仕上げることによって模様とカラー色調の豊富なバリエーションを得ることができる。また、当然のことながら前述の第１実施例で説明した効果も併せて得られるものである。
【００３２】
尚、本発明の実施の形態において、時計用表示板の実施例をあげて実施の形態を説明したが各種銘板等の表示板においても同様な作用、効果を得るものである。
【００３３】
【発明の効果】
本発明によれば、表示板の基板上に、光吸収層、カーボン繊維織物模様層、平滑面の光透過層を順次積層した模様表示層を設けることによって、カーボン繊維織物の織目模様の凹凸が立体的に見えると共に織目模様に奥深さが現れる。更に、見る角度を変えると織目模様に微妙な模様変化が現れて見えて、奥深さと相まって非常に高級感を感じさせる。また、高級感と共に微妙な模様変化が興味を尚一層深め、飽きのこない表示板として利用者の心をとらえる。
【００３４】
また、カーボン繊維織物は強度的特性に優れているため傷等にも強く模様の損傷が発生し難い。また、化学的特性等にも優れていること等とも相まって織目模様がいつまでも美しい形状を保持して維持される。
【００３５】
また、表示板に平織り、綾織り、朱子織り等の織目模様を色々組み合わせて設ければ模様のバリエーションが非常に広がる。
【００３６】
また、このカーボン繊維織物にカラー蒸着を施すとカラーの織目模様が得られ、自由に模様と色合いを選定することができる。
【図面の簡単な説明】
【図１】本発明の第１実施例に係る時計用表示板の断面図である。
【図２】図１におけるカーボン繊維織物層の要部拡大平面図である。
【図３】図１におけるカーボン繊維織物層の要部拡大断面図である。
【図４】本発明の第２実施例に係る時計用表示板の断面図である。
【図５】図４におけるカーボン繊維織物層の要部拡大断面図である。
【図６】従来の時計用文字板の断面図である。
【符号の説明】
１０、２０  時計用表示板
１１  基板
１２  光吸収層
１３、２３  カーボン繊維織物模様層
１３ａ  縦糸束
１３ｂ  横糸束
１３ｃ  平織り織目
１４  光透過層
１５、２５  模様表示層
２３ｄ  カラー蒸着膜
【図１】
0004291456.tif 000002
【図２】
0004291456.tif 000003
【図３】
0004291456.tif 000004
【図４】
0004291456.tif 000005
【図５】
0004291456.tif 000006
【図６】
0004291456.tif 000007